(57)【要約】【課題】本発明は、端末装置のための内部気圧計を備える防水構造および端末装置を提供し、端末装置の分野に関係し、端末装置のための内部気圧計を備える防水構造における端末装置の防水兼空気透過性問題を解決する。【解決手段】防水構造は端末装置の内部空洞であり、防水構造は端末装置の筐体上に開口を設けられており、それにより防水構造内部の気圧が外部の気圧と連絡し、防水構造の内部に気圧計が配置されており、前記開口と前記気圧計との間に防塵ネットが配置されており、前記防塵ネットと前記気圧計との間に防水メッシュ・ネットが配置されており、前記防水メッシュ・ネットと前記気圧計との間に水滴検出デバイスが配置されており、前記水滴検出デバイスと前記気圧計との間に制御弁が配置されており、前記水滴検出デバイスは前記制御弁に電気的に接続されており、前記水滴検出デバイスによって検出される水体積が水体積閾値に達すると、制御弁が閉じられる。本発明は、さまざまな型の端末に適用可能である。【選択図】図１
2014057301.tif 000002
【特許請求の範囲】
【請求項１】
端末装置のための内部気圧計を備えた防水構造であって、前記防水構造は前記端末装置の内部空洞であり、前記防水構造は前記端末装置の筐体上に開口を設けられており、それにより前記防水構造内部の気圧が外部の気圧と連絡し、前記防水構造の内部に気圧計が配置されており、前記開口と前記気圧計との間に防塵ネットが配置されており、前記防塵ネットと前記気圧計との間に防水メッシュ・ネットが配置されており、
前記防水メッシュ・ネットと前記気圧計との間に水滴検出デバイスが配置されており、前記水滴検出デバイスと前記気圧計との間に制御弁が配置されており、
前記水滴検出デバイスは前記制御弁に電気的に接続されており、前記水滴検出デバイスによって検出される水体積が水体積閾値に達すると、前記制御弁が閉じられる、
防水構造。
【請求項２】
請求項１記載の防水構造であって、前記制御弁は二つの強磁性クラップボードおよび電磁石を有し、
前記二つの強磁性クラップボードは前記内部空洞の内側空洞壁上に対称的に固定されており、前記電磁石は前記二つの強磁性クラップボードと同じ側に配置されており、
前記電磁石は前記水滴検出デバイスに電気的に接続されており、それにより前記水滴検出デバイスから電気信号を受領するとき、前記電磁石は通電され、前記二つの強磁性クラップボードに引きつけられて密封を達成する、
防水構造。
【請求項３】
請求項１記載の防水構造であって、前記制御弁は環形の強磁性クラップボードおよび電磁石を有し、
前記環形の強磁性クラップボードは前記内部空洞の内側空洞壁上に固定されており、前記電磁石は前記環形の強磁性クラップボードと同じ側に配置されており、
前記電磁石は前記水滴検出デバイスに電気的に接続されており、それにより前記水滴検出デバイスから電気信号を受領するとき、前記電磁石は通電され、前記環形の強磁性クラップボードに引きつけられて密封を達成する、
防水構造。
【請求項４】
請求項１記載の防水構造であって、前記制御弁は二つの空洞壁突起、二つの空気案内孔および圧電セラミック片を有し、
前記二つの空洞壁突起は前記内部空洞の内側空洞壁上に対称的に固定されており、前記圧電セラミック片は前記二つの空洞壁突起と前記気圧計との間に配置されて前記内部空洞を二つの部分に分け、前記二つの空気案内孔は前記二つの空洞壁突起と前記圧電セラミック片との間に位置され、前記内部空洞の内側空洞壁上に対称的に配置されており、前記気圧計は前記二つの空気案内孔を通じて外部気圧と連絡し、
前記圧電セラミック片は前記水滴検出デバイスに電気的に接続されており、それにより前記水滴検出デバイスから電気信号を受領するとき、前記圧電セラミック片は弾性的に変形し、前記二つの空洞壁突起に接触して密封を達成する、
防水構造。
【請求項５】
請求項１記載の防水構造であって、前記制御弁は環形の空洞壁突起、少なくとも一つの空気案内孔および圧電セラミック片を有し、
前記環形の空洞壁突起は前記内部空洞の内側空洞壁上に固定されており、前記圧電セラミック片は前記環形の空洞壁突起と前記気圧計との間に配置されて前記内部空洞を二つの部分に分け、前記少なくとも一つの空気案内孔は前記環形の空洞壁突起と前記圧電セラミック片との間に位置され、前記内部空洞の内側空洞壁上に配置されており、前記気圧計は前記少なくとも一つの空気案内孔を通じて外部気圧と連絡し、
前記圧電セラミック片は前記水滴検出デバイスに電気的に接続されており、それにより前記水滴検出デバイスから電気信号を受領するとき、前記圧電セラミック片は弾性的に変形し、前記環形の空洞壁突起に接触して密封を達成する、
防水構造。
【請求項６】
請求項１ないし４のうちいずれか一項記載の防水構造を有する端末装置。
【請求項７】
防水構造を制御する方法であって：
水滴検出デバイスによって、到達した水体積が水体積閾値に対応する電圧値を超えているかどうかを検出する段階と；
前記水体積に対応する電圧値が前記水体積閾値に対応する電圧値を超えているとき、前記水滴検出デバイスによって、閉鎖アクションを前記制御弁に実行させる電気信号を制御弁に送る段階と；
前記制御弁によって、前記電気信号を受領した後に前記閉鎖アクションを実行する段階とを含む、
方法。
【発明の詳細な説明】
【技術分野】
【０００１】
本発明は端末装置の分野に、特に端末装置のための内部気圧計を備える防水構造、端末装置および制御方法に関する。
【背景技術】
【０００２】
技術の発達とともに、携帯電話端末に対する防塵および防水要求がますます高まっている。現在、世界規模のIP（international  protection［国際保護］）XX防水および防塵等級では、最初のXが防塵等級を示す。Xが大きいほど防塵等級が高い。二番目のXは防水等級を示す。Xが大きいほど防水等級が高い。
【０００３】
既存の携帯電話端末製品では、携帯電話端末の位置の鉛直方向高さを測定するために気圧計が配置されていることがある。気圧計の感度を保証するために、気圧計と外部環境との間の連絡が保持される必要がある。
【０００４】
従来技術では、内部気圧計をもつ携帯電話端末は、防水性のほか、気圧の伝達が保証されるよう、IPX5防水等級を用いることがある。もう一つの解決策では、IPX7防水等級が用いられる。これは高い防水性能をもつ防水フィルムを採用するため、携帯電話端末が水中に落ちるときも防水効果は満足のいくものである。
【０００５】
しかしながら、上記の技術的解決策を実装する際、発明者は、従来技術には少なくとも次の欠点があることを見出した。IPX5防水等級は携帯電話が水中に落ちるときの防水要求を満たさず、IPX7防水等級は、防水フィルムの開口が小さすぎるため、空気透過性が貧弱になり、携帯端末の内部と外部の間の気圧伝達に遅延が生じ、そのため携帯端末の位置の鉛直方向の高さのリアルタイム測定には不便である。
【発明の概要】
【発明が解決しようとする課題】
【０００６】
本発明の実施形態は、携帯端末の防水性および空気透過性を達成することのできる、端末装置のための内部気圧計を備えた防水構造、端末装置および制御方法を提供する。
【課題を解決するための手段】
【０００７】
本発明の実施形態は以下の技術的解決策を提供する。
【０００８】
第一の側面では、端末装置のための内部気圧計を備えた防水構造が提供される。前記防水構造は前記端末装置の内部空洞であり、前記防水構造は前記端末装置の筐体上に開口を設けられており、それにより前記防水構造内部の気圧が外部の気圧と連絡し、前記防水構造の内部に気圧計が配置されており、前記開口と前記気圧計との間に防塵ネットが配置されており、前記防塵ネットと前記気圧計との間に防水メッシュ・ネットが配置されており、
前記防水メッシュ・ネットと前記気圧計との間に水滴検出デバイスが配置されており、前記水滴検出デバイスと前記気圧計との間に制御弁が配置されており、
前記水滴検出デバイスは前記制御弁に電気的に接続されており、前記水滴検出デバイスによって検出される水体積が水体積閾値に達すると、前記制御弁が閉じられる。
【０００９】
前記第一の側面の第一の可能な実装様式では、前記制御弁は二つの強磁性クラップボード（clapboard）および電磁石を含み、
前記二つの強磁性クラップボードは前記内部空洞の内側空洞壁上に対称的に固定されており、前記電磁石は前記二つの強磁性クラップボードと同じ側に配置されており、
前記電磁石は前記水滴検出デバイスに電気的に接続されており、それにより前記水滴検出デバイスから電気信号を受領するとき、前記電磁石は通電され、前記二つの強磁性クラップボードに引きつけられて密封を達成する。
【００１０】
前記第一の側面の第二の可能な実装様式では、前記制御弁は環形の強磁性クラップボード（clapboard）および電磁石を含み、
前記環形の強磁性クラップボードは前記内部空洞の内側空洞壁上に固定されており、前記電磁石は前記環形の強磁性クラップボードと同じ側に配置されており、
前記電磁石は前記水滴検出デバイスに電気的に接続されており、それにより前記水滴検出デバイスから電気信号を受領するとき、前記電磁石は通電され、前記環形の強磁性クラップボードに引きつけられて密封を達成する。
【００１１】
前記第一の側面の第三の可能な実装様式では、前記制御弁は二つの空洞壁突起、二つの空気案内孔および圧電セラミック片を含み、
前記二つの空洞壁突起は前記内部空洞の内側空洞壁上に対称的に固定されており、前記圧電セラミック片は前記二つの空洞壁突起と前記気圧計との間に配置されて前記内部空洞を二つの部分に分け、前記二つの空気案内孔は前記二つの空洞壁突起と前記圧電セラミック片との間に位置され、前記内部空洞の内側空洞壁上に対称的に配置されており、前記気圧計は前記二つの空気案内孔を通じて外部気圧と連絡し、
前記圧電セラミック片は前記水滴検出デバイスに電気的に接続されており、それにより前記水滴検出デバイスから電気信号を受領するとき、前記圧電セラミック片は弾性的に変形し、前記二つの空洞壁突起に接触して密封を達成する。
【００１２】
前記第一の側面の第四の可能な実装様式では、前記制御弁は環形の空洞壁突起、少なくとも一つの空気案内孔および圧電セラミック片を含み、
前記環形の空洞壁突起は前記内部空洞の内側空洞壁上に固定されており、前記圧電セラミック片は前記環形の空洞壁突起と前記気圧計との間に配置されて前記内部空洞を二つの部分に分け、前記少なくとも一つの空気案内孔は前記環形の空洞壁突起と前記圧電セラミック片との間に位置され、前記内部空洞の内側空洞壁上に配置されており、前記気圧計は前記少なくとも一つの空気案内孔を通じて外部気圧と連絡し、
前記圧電セラミック片は前記水滴検出デバイスに電気的に接続されており、それにより前記水滴検出デバイスから電気信号を受領するとき、前記圧電セラミック片は弾性的に変形し、前記環形の空洞壁突起に接触して密封を達成する。
【００１３】
前記第一の側面の前記第一の可能な実装様式ないし前記第四の可能な実装様式の任意のものに関し、第五の可能な実装様式では、前記電磁石および前記二つの強磁性クラップボードの表面は防水性材料でコーティングされ、前記電磁石と前記二つの強磁性クラップボードとの間の接触表面はシリカゲル材料で覆われ、
前記圧電セラミック片と前記二つの空洞壁突起との間の接触表面はシリカゲル材料で覆われる。
【００１４】
第二の側面では、上記の防水構造のいずれかを含む端末装置が提供される。
【００１５】
第三の側面では、防水構造を制御する方法であって：
水滴検出デバイスによって、到達した水体積に対応する電圧値が水体積閾値に対応する電圧値を超えているかどうかを検出する段階と；
前記水体積に対応する電圧値が前記水体積閾値に対応する電圧値を超えているとき、前記水滴検出デバイスによって、電気信号を制御弁に送り、閉鎖アクションの実行を前記制御弁に通知する段階と；
前記制御弁によって、前記電気信号受領後に前記閉鎖アクションを実行する段階とを含む、方法がさらに提供される。
【発明の効果】
【００１６】
本発明の実施形態は、端末装置のための内部気圧計を備えた防水構造、端末装置および制御方法を提供する。防塵ネットと水滴検出デバイスとの間に配置された防水メッシュ・ネットが端末装置の空気透過性を達成でき、水滴検出デバイスは制御弁に電気的に接続され、到達した水体積に対応する電圧値を検出するために使われ、前記水体積に対応する電圧値が水体積閾値に対応する電圧値を超えるとき、制御弁が閉じられ、それにより端末装置の防水性が達成される。
【図面の簡単な説明】
【００１７】
【図１】本発明のある実施形態に基づく防水構造の概略図である。
【図２】本発明のある実施形態に基づく制御弁の閉鎖のフローチャートである。
【図３】本発明のある実施形態に基づく制御弁の概略的な構造図である。
【図３．１】本発明のある実施形態に基づく、閉じた状態の制御弁の概略的な構造図である。
【図４】本発明のある実施形態に基づく別の制御弁の概略的な構造図である。
【図４．１】本発明のある実施形態に基づく、閉じた状態の別の制御弁の概略的な構造図である。
【発明を実施するための形態】
【００１８】
以下は本発明の実施形態における付属の図面を参照して本発明の実施形態における技術的解決策を明確かつ完全に記述する。明らかだが、記述される実施形態は、本発明の実施形態のすべてではなく、単に一部である。創造的な努力なしに本発明の実施形態に基づいて当業者によって得られる他のすべての実施形態は本発明の保護範囲内にはいる。
【００１９】
本発明のある実施形態は、図１に示されるような、端末装置のための内部気圧計を備える防水構造を提供する。これは、防塵ネット１３、防水メッシュ・ネット１４、水滴検出デバイス１５、制御弁１６および気圧計１２を含み、気圧計１２はPCB（printed  circuit  board［プリント回路基板］）上に配置される。防水構造は端末装置の内部空洞であり、端末装置の筐体上の開口１１を設けられる。開口１１を通じて、防水構造内部の気圧が外部の気圧と連絡し、気圧計１２の敏感性を保証する。
【００２０】
水滴検出デバイス１５は、防水メッシュ・ネット１４と気圧計１２との間に配置され、制御弁１６は水滴検出デバイス１５と気圧計１２との間に配置される。さらに、水滴検出デバイス１５は制御弁１６に電気的に接続され、水滴検出デバイス１５によって検出される水体積に対応する電圧値が水体積閾値に対応する電圧値に到達すると、水滴検出デバイス１５は、閉鎖アクションを実行するよう制御弁１６を制御する。閉鎖アクションは電気的な制御を通じて実装されてもよい。
【００２１】
実際的なシナリオでは、防塵ネット１３はIP5X防塵等級のものであってもよい。この等級は、防水メッシュ・ネット１４が塵で目詰まりすることを防ぐことができる。防水メッシュ・ネット１４はIPX5防水等級のものである。IPXX保護等級では、IPX5防水等級はジェットにした水の進入を防ぐことができ、具体的には：ノズルからすべての方向に噴出される水が端末装置にはいって損傷を引き起こすことを防止すると定義される。通常状態では、制御弁１６は非閉鎖状態にあり、気圧計１２と外部気圧との間の連絡を保証する。しかしながら、端末装置が水に落ちるときは、防水メッシュ・ネット１４は防水機能を提供できない。本発明の本実施形態では、水滴検出デバイス１５が水体積を検出するために使われる。水滴検出デバイスはメッシュのある（meshed）水滴監視ネットであってもよい。検出される水体積に対応する電圧値があらかじめ設定された水体積閾値に対応する電圧値に到達すると、水滴検出デバイス１５は制御弁１６を閉じるよう制御する。このようにして、端末装置は、水中に沈むときに、好ましい防水性をもつ。具体的には、IPX7の防水等級に到達してもよい。この等級は、短時間、一メートルの深さの水中に沈むときに端末装置が損傷することを防止することを保証できる。
【００２２】
本発明のある実施形態はさらに、防水構造を制御する方法を提供する。図２に示されるように、本方法は以下のステップを含む。
【００２３】
ステップ２０１：水滴検出デバイスが、到達した水体積に対応する電圧値が水体積閾値に対応する電圧値を超えているかどうかを検出する。
【００２４】
水体積閾値に対応する電圧値は、あらかじめ設定された電圧値であってもよく、該電圧値は、水滴検出デバイスに取り付けられた記憶装置に保存されている。水滴検出デバイスに達する水体積は対応する電圧値に変換され、その電圧値があらかじめ設定された電圧値と比較される。電圧値があらかじめ設定された電圧値を超えていれば、ステップ２０２を実行し；そうでなければ、水体積検出アクションを続ける。
【００２５】
ステップ２０２：前記水体積に対応する電圧値が前記水体積閾値に対応する電圧値を超えるとき、前記水滴検出デバイスは、電気信号を制御弁に送り、閉鎖アクションの実行を前記制御弁に通知する。
【００２６】
ステップ２０３：前記電気信号の受領後、前記制御弁が、前記閉鎖アクションを実行して防水の密封を達成する。
【００２７】
本発明の実施形態は、端末装置のための内部気圧計を備える防水構造および対応する制御方法を提供する。防塵ネットと水滴検出デバイスとの間に配置された防水メッシュ・ネットが端末装置の空気透過性を達成でき、水滴検出デバイスは制御弁に電気的に接続され、到達した水体積に対応する電圧値を検出するために使われ、前記水体積に対応する電圧値が水体積閾値に対応する電圧値を超えるとき、制御弁が閉じられ、それにより端末装置の防水性が達成される。したがって、防水メッシュ・ネットが防水要求を満たすことができるとき、防水構造は外部環境と気圧連絡しており、それにより気圧計の敏感性が保証される。防水メッシュ・ネットが防水要求を満たさないとき（たとえば端末装置が一メートルの深さの水中に落ちるとき）は、水滴検出デバイスは制御弁が閉じられるよう制御し、それにより端末装置の防水性が保証される。
【００２８】
さらに、図３に示されるように、制御弁１６は電磁石１６１、強磁性クラップボード１６２および内部空洞壁１６３を含む。
【００２９】
前記二つの強磁性クラップボード１６２は前記内部空洞の内側空洞壁１６３上に対称的に固定されており、前記電磁石１６１は前記二つの強磁性クラップボード１６２と同じ側に配置されている。図３では、電磁石１６１は強磁性クラップボード１６２の上方に位置されているが、実際的な応用では、電磁石１６１は強磁性クラップボード１６２の下方に位置されてもよい。このことは、本発明の実施形態において特に限定されない。
【００３０】
電磁石１６１は前記水滴検出デバイス１４に電気的に接続されており、それにより前記水滴検出デバイス１４から電気信号を受領するとき、前記電磁石１６１は通電されて磁気を生じ、前記強磁性クラップボード１６２に引きつけられて、図３．１に示されるように密封を達成する。
【００３１】
通常状態では、水滴検出デバイス１４は電磁石１６１に電気信号を送らず、この場合、電磁石１６１は通電されず、強磁性クラップボード１６２から離間されている。よって、気圧は自由に伝達されることができる。
【００３２】
水滴検出デバイス１４によって検出される水体積に対応する電圧値があらかじめ設定された水体積閾値に対応する電圧値に達すると、水滴検出デバイス１４は電気信号を電磁石１６１に送り、電磁石１６１が通電されて磁気を生じ、前記強磁性クラップボード１６２に引きつけられる。したがって、電磁石型制御弁の閉鎖プロセスが達成される。
【００３３】
さらに、電磁石１６１と強磁性クラップボード１６２の接触表面はシリカゲル材料で覆われる。電磁石１６１が強磁性クラップボード１６２に引きつけられるとき、シリカゲル材料および水中での圧力のため、密封性能が保証されることができる。
【００３４】
電磁石および二つの強磁性クラップボード１６２の表面は防水性材料でコーティングされ、電磁石１６１が通電されるときの電気伝導によって引き起こされる副作用を防止する。
【００３５】
図３における二つの対称的な強磁性クラップボード１６２は、環形の強磁性クラップボードで置き換えてもよいことを注意しておくべきである。環形の強磁性クラップボードは前記内部空洞の内側空洞壁１６３上に固定され、前記電磁石１６１は前記環形の強磁性クラップボードの一つの側に配置され、前記電磁石１６１が通電されると、電磁石１６１は前記環形の強磁性クラップボードに引きつけられて密封を達成する。
【００３６】
このほか、本発明のある実施形態はさらに制御弁を提供する。図４に示されるように、制御弁１６は、空洞壁突起１６４、空気案内孔１６５および圧電セラミック片１６６を含む。
【００３７】
二つの空洞壁突起１６４は前記内部空洞の内側空洞壁上に対称的に固定されており、前記圧電セラミック片１６６は前記二つの空洞壁突起１６４と前記気圧計１２との間に配置されて前記内部空洞を二つの部分に分け、前記二つの空気案内孔１６５は前記二つの空洞壁突起１６４と前記圧電セラミック片１６６との間に位置され、前記内部空洞の内側空洞壁上に対称的に配置されている。よって、前記気圧計１２は前記二つの空気案内孔１６５を通じて外部気圧と連絡し、内部気圧と外部気圧の間の均衡が保証される。
【００３８】
前記圧電セラミック片１６６は前記水滴検出デバイス１４に電気的に接続されており、それにより前記水滴検出デバイス１４から電気信号を受領するとき、前記圧電セラミック片１６６は弾性的に変形し、前記二つの空洞壁突起１６４に接触して密封を達成する。
【００３９】
水滴検出デバイス１４によって水が検出されないときは、圧電セラミック片１６６は電気伝導性でなく、二つの空洞壁突起１６４に接触するよう変形しない。
【００４０】
水滴検出デバイス１４によって検出される水体積に対応する電圧値があらかじめ設定された水体積閾値に対応する電圧値に達すると、水滴検出デバイス１４は圧電セラミック片１６６に電気信号を送り、圧電セラミック片１６６が通電されて、図４．１に示されるように二つの空洞壁突起１６４に接触するよう変形する。よって、制御弁の閉鎖プロセスが達成される。
【００４１】
さらに、前記圧電セラミック片１６６と前記二つの空洞壁突起１６４との間の接触表面はシリカゲル材料で覆われる。圧電セラミック片１６６が変形して二つの空洞壁突起１６４に接触するとき、シリカゲル材料および水中での圧力のため、密封性能が保証されることができる。
【００４２】
図４の二つの対称的な空洞壁突起１６４は環形の空洞壁突起で置き換えられてもよいことを注意しておくべきである。環形の空洞壁突起は、前記内部空洞の内側空洞壁上に固定され、前記圧電セラミック片１６６は前記環形の空洞壁突起と前記気圧計１２との間に配置されて前記内部空洞を二つの部分に分ける。少なくとも一つの空気案内孔が内側空洞壁上で、前記環形の空洞壁突起と前記圧電セラミック片１６６との間に配置されており、外部気圧と連絡するために使われる。前記圧電セラミック片１６６は前記水滴検出デバイス１４に電気的に接続されている。圧電セラミック片１６６が弾性的に変形し、前記環形の空洞壁突起に接触すると、密封が達成される。
【００４３】
本発明の実施形態における制御弁は電磁石または圧電セラミック片によって形成されうる。ある実際的な応用では、制御弁はマイクロスイッチなどによって形成されてもよく、詳細は本発明の実施形態では記載されない。
【００４４】
ほかに、本発明のある実施形態はさらに端末装置を提供する。これは携帯電話、タブレット・コンピュータまたは他の電子装置であってもよい。端末装置は上記の防水構造を含む。
【００４５】
本発明の実施形態は、端末装置のための内部気圧計を備える防水構造および端末装置を提供する。防塵ネットと水滴検出デバイスとの間に配置された防水メッシュ・ネットが端末装置の空気透過性を達成でき、水滴検出デバイスは制御弁に電気的に接続され、到達した水体積に対応する電圧値を検出するために使われ、前記水体積に対応する電圧値が水体積閾値に対応する電圧値を超えるとき、制御弁が閉じられ、それにより端末装置の防水性が達成される。本発明の実施形態における制御弁は、電磁石および強磁性クラップボードによって形成されてもよく、または圧電セラミック片によって形成されてもよい。防水メッシュ・ネットが防水要求を満たすことができるときは、防水構造は外部環境と気圧連絡しており、それにより気圧計の敏感性が保証される。防水メッシュ・ネットが防水要求を満たさないとき（たとえば端末装置が一メートルの深さの水中に落ちるとき）は、水滴検出デバイスは制御弁が閉じられるよう制御し、それにより端末装置の防水性が保証される。
【００４６】
以上の記述は本発明の単に個別的な実施形態であって、本発明の保護範囲を限定することは意図されていない。本発明において開示される技術的範囲内で当業者がすぐにわかるような変形や置換は、本発明の保護範囲内にはいる。よって、本発明の保護範囲は請求項の保護範囲に基づく。
【符号の説明】
【００４７】
１１  開口
１２  気圧計
１３  防塵ネット
１４  防水メッシュ・ネット
１５  水滴検出デバイス
１６  制御弁
１６１  電磁石
１６２  強磁性クラップボード
１６３  内部空洞壁〔空洞内壁〕
１６４  空洞壁突起
１６５  空気案内孔
１６６  圧電セラミック片
２０１  到達水体積に対応する電圧値が水体積閾値に対応する電圧値を超えているかどうかを検出
２０２  閉鎖アクションの実行を制御弁に通知するよう電気信号を送る
２０３  制御弁を閉じる
【図１】
2014057301.tif 000003
【図２】
2014057301.tif 000004
【図３】
2014057301.tif 000005
【図３．１】
2014057301.tif 000006
【図４】
2014057301.tif 000007
【図４．１】
2014057301.tif 000008
【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
端末装置のための内部気圧計を備えた防水構造であって、前記防水構造は前記端末装置の内部空洞であり、前記防水構造は前記端末装置の筐体上に開口を設けられており、それにより前記防水構造内部の気圧が外部の気圧と連絡し、前記防水構造の内部に気圧計が配置されており、前記開口と前記気圧計との間に防塵ネットが配置されており、前記防塵ネットと前記気圧計との間に防水メッシュ・ネットが配置されており、
前記防水メッシュ・ネットと前記気圧計との間に水検出デバイスが配置されており、前記水検出デバイスと前記気圧計との間に制御弁が配置されており、
前記水検出デバイスは前記制御弁に電気的に接続されており、前記水検出デバイスによって検出される水体積が水体積閾値に達すると、前記制御弁が閉じられる、
防水構造。
【請求項２】
請求項１記載の防水構造であって、前記制御弁は二つの強磁性クラップボードおよび電磁石を有し、
前記二つの強磁性クラップボードは前記内部空洞の内側空洞壁上に対称的に固定されており、前記電磁石は前記二つの強磁性クラップボードと同じ側に配置されており、
前記電磁石は前記水検出デバイスに電気的に接続されており、それにより前記水検出デバイスから電気信号を受領するとき、前記電磁石は通電され、前記二つの強磁性クラップボードに引きつけられて密封を達成する、
防水構造。
【請求項３】
請求項１記載の防水構造であって、前記制御弁は環形の強磁性クラップボードおよび電磁石を有し、
前記環形の強磁性クラップボードは前記内部空洞の内側空洞壁上に固定されており、前記電磁石は前記環形の強磁性クラップボードと同じ側に配置されており、
前記電磁石は前記水検出デバイスに電気的に接続されており、それにより前記水検出デバイスから電気信号を受領するとき、前記電磁石は通電され、前記環形の強磁性クラップボードに引きつけられて密封を達成する、
防水構造。
【請求項４】
請求項１記載の防水構造であって、前記制御弁は二つの空洞壁突起、二つの空気案内孔および圧電セラミック片を有し、
前記二つの空洞壁突起は前記内部空洞の内側空洞壁上に対称的に固定されており、前記圧電セラミック片は前記二つの空洞壁突起と前記気圧計との間に配置されて前記内部空洞を二つの部分に分け、前記二つの空気案内孔は前記二つの空洞壁突起と前記圧電セラミック片との間に位置され、前記内部空洞の内側空洞壁上に対称的に配置されており、前記気圧計は前記二つの空気案内孔を通じて外部気圧と連絡し、
前記圧電セラミック片は前記水検出デバイスに電気的に接続されており、それにより前記水検出デバイスから電気信号を受領するとき、前記圧電セラミック片は弾性的に変形し、前記二つの空洞壁突起に接触して密封を達成する、
防水構造。
【請求項５】
請求項１記載の防水構造であって、前記制御弁は環形の空洞壁突起、少なくとも一つの空気案内孔および圧電セラミック片を有し、
前記環形の空洞壁突起は前記内部空洞の内側空洞壁上に固定されており、前記圧電セラミック片は前記環形の空洞壁突起と前記気圧計との間に配置されて前記内部空洞を二つの部分に分け、前記少なくとも一つの空気案内孔は前記環形の空洞壁突起と前記圧電セラミック片との間に位置され、前記内部空洞の内側空洞壁上に配置されており、前記気圧計は前記少なくとも一つの空気案内孔を通じて外部気圧と連絡し、
前記圧電セラミック片は前記水検出デバイスに電気的に接続されており、それにより前記水検出デバイスから電気信号を受領するとき、前記圧電セラミック片は弾性的に変形し、前記環形の空洞壁突起に接触して密封を達成する、
防水構造。
【請求項６】
請求項１ないし４のうちいずれか一項記載の防水構造を有する端末装置。
【請求項７】
防水構造を制御する方法であって：
水検出デバイスによって、到達した水体積に対応する電圧値が水体積閾値に対応する電圧値を超えているかどうかを検出する段階と；
前記水体積に対応する電圧値が前記水体積閾値に対応する電圧値を超えているとき、前記水検出デバイスによって、閉鎖アクションを前記制御弁に実行させる電気信号を制御弁に送る段階と；
前記制御弁によって、前記電気信号を受領した後に前記閉鎖アクションを実行する段階とを含む、
方法。